(57)【特許請求の範囲】
【請求項１】
イオン化システム及びヒーターを備えるヘアドライヤであって、前記イオン化システムはイオン生成電極を備え、前記イオン生成電極は、平らな導電性ニードルであり、第１の軸線に沿って延びる第１の部分と、前記第１の軸線と実質的に直交する第２の部分とを有し、前記第１の部分は前記ヒーターの外周に沿って前記ヒーターの上流端から前記ヒーターの下流端まで延び、前記第２の部分は前記ヒーターの外周から半径方向内向きに延びる、ヘアドライヤ。
【請求項２】
前記ヒーターは略円筒状であり、前記イオン生成電極は、前記ヒーターの半径方向外面に沿って延びている、請求項１に記載のヘアドライヤ。
【請求項３】
前記ヒーターは壁部によって取り囲まれ、前記イオン生成電極は、前記壁部の外周に沿って延びている、請求項１又は請求項２に記載のヘアドライヤ。
【請求項４】
前記イオン化システムはイオン発生器を備え、前記イオン生成電極は、前記イオン発生器から延びる高圧線を備える、請求項１から請求項３のいずれか１項に記載のヘアドライヤ。
【請求項５】
前記イオン化システムはイオン発生器を備え、
前記イオン生成電極は、前記イオン発生器から延びる高圧線と、平らな導電性ニードルと、前記平らな導電性ニードルを前記高圧線に接続するためのコネクタとを備える、請求項１から請求項４のいずれか１項に記載のヘアドライヤ。
【請求項６】
前記コネクタは、前記ヒーターの上流端又はその近くに配置される、請求項５に記載のアドライヤ。
【請求項７】
前記ヒーターは壁部によって取り囲まれ、前記コネクタは、前記壁部の上流端又はその近くに配置される、請求項５に記載のヘアドライヤ。
【請求項８】
前記ヒーターの下流端を前記ヘアドライヤの中で所定位置に保持するようになった内側壁をさらに備え、前記内側壁は、前記イオン生成電極を収納するための凹部を備える、請求項１から請求項７のいずれか１項に記載のヘアドライヤ。
【請求項９】
前記内側壁は開口を備え、前記イオン化ニードルは前記開口を通って突出する、請求項１から請求項８のいずれか１項に記載のヘアドライヤ。
【請求項１０】
前記イオン生成電極は、第１の軸線に沿って延びる第１の部分を備え、前記第１の部分は、前記ヒーターの外周に沿って前記内側壁の前記凹部まで延びている、請求項９に記
載のヘアドライヤ。
【請求項１１】
前記イオン化ニードルは第２の部分を有し、前記第２の部分は、前記ヒーターの外周及び内側壁から前記開口を通って半径方向内向きに延びている、請求項１０に記載のヘアドライヤ。
【請求項１２】
前記第１の部分及び前記第２の部分は、平らな導電性ニードルから形成される、請求項１１に記載のヘアドライヤ。
【請求項１３】
前記イオン化ニードルは第３の部分を備え、前記第３の部分は、前記イオン発生器から前記第１の部分まで延びている、請求項１０又は請求項１１に記載のヘアドライヤ。
【請求項１４】
前記第３の部分は高圧線を備える、請求項１３に記載のヘアドライヤ。
【発明の詳細な説明】
【技術分野】
【０００１】
本発明は、手持ち式電気器具、特にヘアドライヤ等のヘアケア電気器具に関する。
【背景技術】
【０００２】
一般に、本体に流体を引き込むモータ及びファンを備えており、流体は、本体から流出する前に加熱することができる。モータは、汚れ又は毛髪のような異物により損傷し易く、従来から、ブロワへの流体取入口にフィルタが設けられる。ファン及びヒーターは機能するための動力が必要であり、動力は、主電源ケーブル又は電気器具に取り付けられたバッテリのどちらか一方から内部配線を介して供給される。
【０００３】
ヘアドライヤは、イオン化装置を備える場合が多い。イオン化装置は、永続的にオンになるか又は制御スイッチによって作動させるかのいずれかである。一般に、イオン発生器は、空気流れの中に配置され、発生したイオンは、毛髪に向かって進むことになる。
【発明の概要】
【０００４】
第１の態様によれば、本発明は、イオン化システム及びヒーターを備えるヘアドライヤを提供し、イオン化システムはイオン生成電極を備え、イオン生成電極はヒーターの外周に沿って延びている。
【０００５】
イオン化装置をヒーターの外周の周りに配設することによって、イオン化装置がヒーターを通過する流体に及ぼす影響が最小になる。
【０００６】
好ましくは、イオン生成電極は、ヒーターに沿ってヒーターの下流端まで延びる。
【０００７】
イオン生成電極は、ヒーターに沿ってヒーターの上流端から延びることが好ましい。
【０００８】
好ましくは、ヒーターは略円筒状であり、イオン生成電極は、ヒーターの半径方向外面に沿って延びる。
【０００９】
イオン生成電極は、第１の軸線に沿って延びる第１の部分を有し、第１の部分はヒーターの外周に沿って延びることが好ましい。
【００１０】
好ましくは、イオン生成電極は、第２の軸線に沿って延びる第２の部分を有し、第２の部分はヒーターの外周から半径方向内向きに延びる。
【００１１】
イオン生成ニードルの大部分はヒーターを通過する主流体流れの外にあるが、イオンは、この流れ中へ放出されて整髪又は乾燥されている毛髪に送られることが好都合である。
【００１２】
第２の軸線は、第１の軸線と実質的に直交することが好ましい。
【００１３】
好ましくは、ヒーターは壁部によって取り囲まれ、イオン生成電極は、壁部の外周に沿って延びる。
【００１４】
イオン化システムはイオン発生器を備え、イオン生成電極は、イオン発生器から延びる高圧線を備えることが好ましい。
【００１５】
好ましくは、イオン生成電極は平らな導電性ニードルを備える。これは、ヒーターの周囲の空間が制限される場合に好都合である。
【００１６】
イオン化システムはイオン発生器を備え、イオン生成電極は、イオン発生器から延びる高圧線と、平らな導電性ニードルと、平らな導電性ニードルを高圧線に接続するためのコネクタとを備えることが好ましい。
【００１７】
好ましくは、コネクタは、ヒーターの上流端又はその近くに配置される。
【００１８】
ヒーターは壁部によって取り囲まれ、コネクタは、壁部の上流端又はその近くに配置されることが好ましい。
【００１９】
好ましくは、ヘアドライヤは、ヒーターの下流端をヘアドライヤ内で所定位置に保持するようになった内側壁をさらに備え、内側壁は、イオン生成電極を収納するための凹部を備える。これにより、ヘアドライヤ本体内において、イオン化装置は、ヒーター及び他の構成要素に対して確実に位置決めされる。
【００２０】
内側壁は、イオン化ニードルが通って突出する開口を備えることが好ましい。
【００２１】
好ましくは、イオン生成電極は、第１の軸線に沿って延びる第１の部分を備え、第１の部分は、ヒーターの外周に沿って内側壁の凹部まで延びる。
【００２２】
イオン化ニードルは第２の部分を有し、第２の部分は、ヒーターの外周及び内側壁から開口を通って半径方向内向きに延びることが好ましい。
【００２３】
好ましくは、第１の部分及び第２の部分は、平らな導電性ニードルから形成される。
【００２４】
第３の部分は高圧線を備えることが好ましい。
【００２５】
本発明は、単に例示目的で添付図面を参照しながら説明される。
【図面の簡単な説明】
【００２６】
【図１】本発明によるモータマウントを使用することができるヘアドライヤを示す。
【図２】図１のヘアドライヤの断面図である。
【図３】本発明によるイオン化システムの等角図である。
【図４】ヒーターに対して本体の位置にある図３のイオン化システムの前方等角図である。
【図５】図１のヘアドライヤの内部構成要素に対して本来の位置にある図３のイオン化システムの前方等角図である。
【図６】ヘアドライヤ本体の断面図であり、イオン化装置を示す
【発明を実施するための形態】
【００２７】
図１及び図２は、ハンドル２０及び本体３０を備えるヘアドライヤ１０を示す。ハンドルは、本体３０に結合した第１の端部２２と、本体３０から遠位の主流体入口４０を含む第２の端部２４とを有する。動力は、ケーブル５０を介してヘアドライヤ１０に供給される。ケーブル５０のヘアドライヤ１０から遠位の端部にはプラグ（図示せず）が設けられており、プラグは、例えば主電源又はバッテリパックに対する電気接続を可能にする。
【００２８】
ハンドル２０は、本体３０からハンドルの遠位端２４へ延びる外側壁２００を有する。ハンドルの遠位端２４において端壁２１０が外側壁２００を横切って延びている。ケーブル５０は、この端壁２１０を通ってヘアドライヤに入る。ハンドル２０の主流体入口４０は、第１の開口４２及び第２の開口４６を含み、第１の開口４２は、ハンドル２０の遠位端２４から延びる一連の行及び／又は列でハンドルの外側壁２００の周りでこれに沿って延び、第２の開口４６は、ハンドル２０の端壁２１０を横切りかつ貫通して延びる。ケーブル５０は、端壁２１０のほぼ中央に位置するのでハンドル２０の中心から延びる。ハンドル２０は長手方向軸線Ｘ−Ｘを有し、外側壁２００は、この軸線Ｘ−Ｘに沿って本体３０から遠位端２４に向かって延びている。
【００２９】
ケーブル５０はハンドル２０の中心から延びることが好ましく、これにより、ヘアドライヤは、ユーザの手の中でハンドル２０の向きに関係なく平衡が保たれる。また、ユーザがハンドル２０上で手の位置を変えても、移動した手の位置に対するケーブルの位置が変わらないので、ケーブル５０から強く引っ張られることないであろう。ケーブルがオフセットしてハンドルの一方の側面により近づく場合、ヘアドライヤの重量分布が向きに応じて変わるので、ユーザの気を散らすことになる。
【００３０】
主流体入口４０の上流にはファンユニット７０が設けられる。ファンユニット７０はファン及びモータを含む。ファンユニット７０は、主流体入口４０から流体を引き込み、流体は、主流体入口４０から本体３０へ延びた主流体流路４００を通って本体３０に向かい、ハンドル２０と本体３０との結合部９０で本体３０に入る。本体３０は、第１の端部３２及び第２の端部３４を有し、主流体流路４００は、本体３０を通って本体の第２の端部３４へ向かい、ヒーター８０を回って、主流体出口４４０へ至るように続き、ファンユニットによって引き込まれた流体は、主流体出口４４０において主流体流路４００から出る。主流体流路４００は、非直線状であり、ハンドル２０を第１の方向に通過し、第１の方向に対して直交する第２の方向で本体３０を通過する。
【００３１】
本体３０は、外側壁３６０及び内側ダクト３１０を含む。主流体流路４００は、ハンドル２０及び本体３０の結合部９０からの本体に沿って外側壁３６０とダクト３１０との間を延び、本体３０の第２の端部３４の主流体出口４４０へ向かう。
【００３２】
内側壁２６０は外側壁３６０の中を延びる。内側壁２６０は、少なくとも部分的に主流体出口４４０を定め、内側ダクト３１０と外側壁３６０との間で本体３０の第２の端部３４から延びる。
【００３３】
本体内には別の流体流路が設けられており、この流れは、ファンユニット又はヒーターによって直接処理されず、ヘアドライヤを通る主流れを生成するファンユニットの作用によってヘアドライヤ内へ引き込まれる。この流体流れは、主流体流路４００を通過する流体によってヘアドライヤ内へ取り込まれる。
【００３４】
本体の第１の端部３２は流体入口３２０を含み、本体の第２の端部３４は流体出口３４０を含む。流体入口３２０及び流体出口３４０の両方は、少なくとも部分的に、本体３０の内側壁でありかつ本体内でこれに沿って延びる内側ダクト３１０によって規定される。流体流路３００は、内側ダクト３１０の内部で、流体入口３２０から流体出口３４０へ延びる。本体３０の第１の端部３２において、側壁３５０は、管状部分３１２と外側壁３６０との間に延びる。この側壁３５０は、少なくとも部分的に流体入口３２０を定める。主流体出口４４０は環状であり、流体流路を取り囲む。
【００３５】
ヘアドライヤ用制御電子機器を含むＰＣＢ７５は、本体３０内で側壁３５０及び流体入口３２０の近くに配置される。ＰＣＢ７５は、リング形状であり、内側ダクト３１０と外側壁３６０との間で内側ダクト３１０の周りに延びている。ＰＣＢ７５は主流体流路４００と流体連通する。ＰＣＢ７５は、流体流路３００の周りに延び、内側ダクト３１０によって流体流路３００から分離される。
【００３６】
ＰＣＢ７５は、ヒーター８０の温度及びファンユニット７０の回転速度等のパラメータを制御する。内部配線（図示せず）によって、ＰＣＢ７５は、ヒーター８０、ファンユニット７０、及びケーブル５０に電気的に接続される。ＰＣＢ７５に接続される制御ボタン６２、６４が設けられており、ユーザは、例えば様々な温度設定値及び流量を選択できる。
【００３７】
ＰＣＢ７５の下流にはヒーター８０があり、ＰＣＢ７５とヒーター８０との間にはＰＣＢバッフル７００が設けられている。ＰＣＢバッフルは、特に、ヒーター８０がオンになった場合にＰＣＢ７５に対する熱保護を可能にする。
【００３８】
使用時、流体は、ファンユニット７０の作用によって主流体流路４００内に引き込まれ、随意的にヒーター８０によって加熱され、主流体出口４４０から流出する。この処理された流れ（以下、処理流と呼ぶ）により、流体が流体入口３２０で流体流路３００内に取り込まれる。流体は、本体３０の第２の端部３４において処理流と合流する。図２に示す実施例において、処理流は、環状流として主流体出口４４０及びヘヤードライヤから流出し、環状流は、流体出口３４０を通ってヘヤードライヤから流出する同伴流を取り囲む。従って、ファンユニット及びヒーターによって処理された流体は、同伴流によって増強される。
【００３９】
次に図３、図４、図５及び図６を参照すると、イオン化システムは、本実施形態では高圧線３７４及びイオン化ニードル３７０を含む、イオン生成電極３７０、３７４を備える。本実施形態では、イオン化ニードルは、例えば鋼等の型打ち金属シートから形成され、コネクタ３７２を経由して高圧線３７４に接続され、高圧線３７４は、本実施形態ではＰＣＢバッフル７００に収納された陰イオン発生器３７６に接続する。
【００４０】
イオン化ニードル３７０はヒーター８０の外周に沿って延びており、詳細には、ヒーター８０は外側壁１８０を含み、イオン化ニードル３７０は、外側壁１８０の外面１８０ａに沿って、ヒーター８０の上流端８０ａからヒーターの下流端８０ｂまで延びている。ヒーター８０の下流端８０ｂにおいて、イオン化ニードル３７０は、ヒーター８０の外側壁１８０の半径方向内向きに延びている。イオン化ニードル３７０は、２つの部分、即ちヒーター８０の外側壁１８０に沿って延びる第１の部分３７０ａと、第１の部分と実質的に直交してヒーター８０の下流端８０ｂを横切って延びる第２の部分３７０ｂとを有する。コネクタ３７２からの遠位端３７０ｃにおいて、イオン化ニードル３７０は、先端部を形成する形状であり、イオン化システムの作動時に先端部から陰イオンが放出される。従って、イオンは、ヒーター８０から流出する流体流れの内へ放出される。
【００４１】
イオン化ニードル３７０を流体流路４００の中で適切にかつ繰り返して位置決めするために、イオン化ニードル３７０は、第１の部分３７０ａの下流端の近くで又は第１の部分３７０ａが第２の部分３７０ｂに接合する場所で拘束される。
【００４２】
内側壁２６０は、ヒーター８０の下流端の周りで半径方向に延びている。内側壁２６０は、一対のリップ２６２、２６４を有しており、このリップは、ヒーター８０に向かって延びており、この中にヒーター８０の外側壁１８０が挿入される。内側壁２６０の半径方向内面２６０ａは、ヒーター８０から流出する流体を流体出口４４０に案内する。
【００４３】
半径方向外側リップ２６２は、壁部１８０の外面１８０ａの上方に延び、イオン化ニードル３７０を収納するための凹部又は切欠き３７８を含む。イオン化ニードル３７０は、凹部又は切欠き３７８の下流で約９０°だけ完全に折り曲げられて第２の部分３７０ｂを形成し、さらにヒーター８０の下流面を横切って内側壁２６０の半径方向内向きに延びて、流体流路４００の中に延びる。イオン化ニードル３７０は、第１の部分３７０ａが凹部又は切欠き３７８ａに配置される場合に正確に位置決めされる。
【００４４】
追加的に、イオン化システムは、コネクタ３７２の上流で拘束され、ここでは高圧線３７４は、ＰＣＢバッフル７００に設けられた溝７１０の中に保持される。溝７１０は、ＰＣＢバッフル７００の下流端７００ｂから延びている。溝７１０の上流端７１０ａにおいて、高圧線３７４は、ＰＣＢ７５に対して電気的に接続するイオン発生器３７６に経路指定される。
【００４５】
少なくとも１つの保持ポスト７１２が設けられており、この保持ポスト７１２は、高圧線３７４がＰＣＢバッフル７００の外周の周りでイオン発生器３７６まで延びる場合、高圧線３７４を保持する。このことは、ヘアドライヤの種々の部品の組立時に高圧線が保護されるので製造時に好都合である。
【００４６】
前述の実施形態では、イオン化ニードルは、イオンを放出する先端部を形成する形状とされるが、当業者であれば理解できるように、先端部は、ニードルの中心にあること又はニードルの片側に形成することができる。実際には、ニードルの放電端に取り付けられた炭素繊維等の代替的な放出器を使用することができる。
【００４７】
前述の実施形態では、コネクタはヒーターの上流にあるが、このことは必須ではなく、ヒーターと外側壁との間に空間が僅かな場合、高圧線よりも薄型な平らな導電性ニードルを利用することが好都合である。
【００４８】
本発明は、ヘアドライヤに関して詳細に説明したが、本発明は、流体を電気器具の中に引き込みかつその流体の流出物を電気器具から移動させる、あらゆる電気器具に適用可能である。
【００４９】
電気器具を通過する流体は、一般には空気であるが、異なる複数の気体の組み合わせ又は単一の気体とすることができ、さらに、電気器具の性能又は対象物への電気器具の影響を改善する添加剤を含むことができ、生成物は、例えば毛髪及びその毛髪の整髪用に送られる。
【００５０】
本発明は、前述した詳細な説明に限定されない。当業者には変形例が明らかである。特に、ヒーターは、台形でありかつ十字に形成されたフレームの周りに巻回された従来式ヒーターとすることができる。
【符号の説明】
【００５１】
１０  ヘアドライヤ
８０  ヒーター
８０ａ  上流端
８０ｂ  下流端
１８０  外側壁
３７０  イオン化ニードル
３７０ａ  第１の部分
３７０ｂ  第２の部分
３７０ｃ  遠位端
３７４  高圧線
３７６  陰イオン発生器
【図１】
0006453829.tif 000002
【図２】
0006453829.tif 000003
【図３】
0006453829.tif 000004
【図４】
0006453829.tif 000005
【図５】
0006453829.tif 000006
【図６】
0006453829.tif 000007